(57)【特許請求の範囲】
【請求項１】
上面にコンロ収納凹部を有するコンロキャビネットであって、
上面奥側（建物壁側）に、上下位置調節機構を有する防熱板（バックガード）を具備し、
前記上下位置調節機構が、前記凹部側から操作可能であることを特徴とするコンロキャビネット。
【請求項２】
上面にコンロ収納凹部を有するコンロキャビネットであって、
上面奥側（建物壁側）に、上下位置調節機構を有する防熱板（バックガード）を具備し、
前記上下位置調節機構が無段階に位置決めが可能なスライド機構であり、
該スライド機構が、前記凹部側から操作可能であることを特徴とするコンロキャビネット。
【請求項３】
前記スライド機構が、前記防熱板のサポート部材と、前記防熱板のスライド案内部材と、両部材の位置決め手段と、を具備することを特徴とする請求項２記載のコンロキャビネット。
【請求項４】
前記スライド案内部材に上下方向に延びるスリットが形成されており、前記位置決め手段として、前記スリットを貫通しており前記両部材を締め付けるネジが設けられていることを特徴とする請求項３記載のコンロキャビネット。
【請求項５】
前記バックガードの上端面が前記コンロキャビネットの上面とほぼ同じ面にある初期状態から該バックガードを上方にスライドさせることを特徴とする請求項１〜４いずれか１項記載のコンロキャビネット。
【請求項６】
コンロキャビネットを水切り板が備えられている台所の壁面に接するように設置したキッチン設備であって、
前記コンロキャビネットが、上面にコンロ収納凹部を有するとともに、上面奥側（台所壁側）に、上下位置調節機構を有する防熱板（バックガード）を具備し、
前記コンロキャビネットをその背面がキッチンの壁に接するように設置する際は前記バックガードは前記コンロキャビネットの上面とほぼ同じ高さであり、その後、該バックガードの上端が前記水切り板の根元下面に当るまで該バックガードが上方にスライドされていることを特徴とするキッチン設備。
【請求項７】
前記上下位置調節機構が無段階に位置決めが可能なスライド機構であることを特徴とする請求項６記載のキッチン設備。
【請求項８】
前記上下位置調節機構又はスライド機構が、前記凹部側から操作可能であることを特徴とする請求項６又は７記載のキッチン設備。
【発明の詳細な説明】
【０００１】
【発明の属する技術分野】
本発明は、コンロを載置するコンロキャビネット及びそれを有するキッチン設備に関する。特には、システムキッチン風にコンロが設置可能で、既設キッチンに取り付けるのが容易なコンロキャビネットに関する。
【０００２】
【従来の技術】
システムキッチンでないキッチンにおいては、ガスコンロは通常コンロ台の上に載置されている。ガスコンロはコンロ台と別体であるため、コンロとコンロ台の上面や奥側の壁面、シンクの壁等との間にスキマが開いており、調理時にこのスキマに調理物や調理器具が落ちることがある。このような調理物や調理器具を拾ったり、コンロ台の上や奥側の壁面を掃除する場合、コンロをコンロ台から持ち上げたり移動させる必要がある。しかし、コンロにはガス管が接続しているため、持ち上げや移動は危険であり容易には行えない。
【０００３】
このようなキッチンを、コンロ台を含めて全体的にシステムキッチン化するにはコストがかかり、施工に長時間を要する。そこで、コンロ周りのみをシステムキッチンのようにビルトイン式にする方法がある。この方法は、コンロキャビネットを、今までガス台を設置していたスペースに設置して、ビルトインコンロを載置するものである。
【０００４】
図６は、従来のシステムキッチン化されたコンロキャビネットの構造を模式的に説明する図であり、図６（Ａ）は全体の斜視図、図６（Ｂ）は側面図である。
システムキッチン化されていないキッチンには、図６（Ｂ）に示すように、コンロ奥側の壁面８３に水切り板８５が設けられている場合が多い。この水切り板８５は断面がくの字状で、コンロ台にコンロが置かれたときにコンロ奥側の空間に被さるように設けられて、この空間に物が入ることを防いでいる。水切り板８５の寸法や取付位置は一定でなく、設けられていない場合もある。
【０００５】
このコンロキャビネット８１は、上部がコンロ設置部８７、下部が収容部８９となっており、キッチンの一部にピッタリと収まる大きさである。コンロ設置部８７は、上部及び前部に開口９１、９２が形成された中空の箱状である。コンロ９３はビルトイン型で、コンロ設置部８７に収容される。コンロ９３内にはガス供給管に接続したバーナ９５が配置されている。コンロ９３の上面には２つ又は３つのバーナヘッド９７が設けられ、各バーナヘッド９７の周囲には五徳９９が設置されている。さらに、コンロ内にはグリル１０１が設けられている。コンロ上面の奥側には排気口１０３が形成されている。コンロ前面には、点火スイッチやグリル開閉扉１０５が設けられている。また、コンロ上面には、外方向に延びる耳１０７が設けられている。
【０００６】
コンロ９３をコンロ設置部８７に載置する際は、耳１０７を持ってコンロ９３を同部８７の上部の開口９１から入れ、耳１０７を開口９１の外縁に引っ掛けてコンロ９３をコンロキャビネット８１に載置する。すると、コンロ上面のバーナ９７や五徳９９、前面の点火スイッチやグリル開閉扉１０５等のみがコンロ設置部８７の開口９１から露出するため、コンロ上面の周りにスキマは形成されない。
【０００７】
コンロ設置部８７の背面には、上方に延びたバックガード（防熱板）１０７が設けられている。コンロキャビネット８１をキッチンに設置した際には、バックガード１０７は壁面８３にピッタリと接する。バックガード１０７は一例で鋼板製で、壁面８３の防熱を行う。バックガードの高さは通常９０ｍｍ程度である。
【０００８】
【発明が解決しようとする課題】
図６に示すように、水切り板８５が設けられている壁面８３にコンロキャビネット８１を設置すると、水切り板８５が比較的高い位置に設けられている場合、バックガード１０７と水切り板８５の間の壁面８３ａが露出してしまうことがある。露出した壁面８３ａは水切り板８５が被された狭い空間であるため、この壁面８３ａを防熱処理（防熱板の貼付等）するのは非常に手間がかかり、水切り板８５を取り外す作業が必要になることもある。また、水切り板８５が比較的低い位置の場合は、バックガード１０７が水切り板８５に当ることもあり、水切り板８５の取り外しが必要になる。このような取り外し作業によって施工時間が長くなり、またコストもアップする。
【０００９】
本発明は上記の問題点に鑑みてなされたものであって、水切り板を取り外す必要なく設置可能なコンロキャビネット及びそれを有するキッチン設備を提供することを目的とする。
【００１０】
【課題を解決するための手段】
上記課題を解決するため、本発明のコンロキャビネットは、  上面にコンロ収納凹部を有するコンロキャビネットであって、  上面奥側（建物壁側）に、上下位置調節機構を有する防熱板（バックガード）を具備し、前記上下位置調節機構が、前記凹部側から操作可能であることを特徴とする。
そして、  前記上下位置調節機構を無段階に位置決めが可能なスライド機構とすれば、バックガードの位置（高さ）を調節することにより、水切り板がどのような形状・高さであっても、水切り板を取り外すことなく、水切り板下方の壁面をバックガードで覆うことができる。また、水切り板がないキッチンにおいても適用できる。なお、初期状態として、バックガードをコンロキャビネットの上面と同じ高さに収納しておけば、バックガードが水切り板に当ることがなくスムーズにコンロキャビネットの背面を壁面に接するように設置できる。
本発明のキッチン設備は、コンロキャビネットを水切り板が備えられている台所の壁面に接するように設置したキッチン設備であって、前記コンロキャビネットが、上面にコンロ収納凹部を有するとともに、上面奥側（台所壁側）に、上下位置調節機構を有する防熱板（バックガード）を具備し、前記コンロキャビネットをその背面がキッチンの壁に接するように設置する際は前記バックガードは前記コンロキャビネットの上面とほぼ同じ高さであり、その後、該バックガードの上端が前記水切り板の根元下面に当るまで該バックガードが上方にスライドされていることを特徴とする。
【００１１】
本発明の他のコンロキャビネットは、上面にコンロ収納凹部を有するコンロキャビネットであって、上面奥側（建物壁側）に、上下位置調節機構を有する防熱板（バックガード）を具備し、前記上下位置調節機構が無段階に位置決めが可能なスライド機構であり、該スライド機構が、前記凹部側から操作可能であることを特徴とする。上下スライド機構を、前記凹部側から操作可能にすれば、コンロ載置前に現場で容易にバックガードのスライド作業をすることができる。
【００１２】
本発明においては、  前記スライド機構が、前記防熱板のサポート部材と、前記防熱板のスライド案内部材と、両部材の位置決め手段と、を具備することが好ましい。そして、  前記スライド案内部材に上下方向に延びるスリットが形成されており、前記位置決め手段として、前記スリットを貫通しており前記両部材を締め付けるネジが設けられていることが好ましい。
簡単な構成で容易に作業することができる。
【００１３】
【発明の実施の形態】
以下、図面を参照しつつ説明する。
図１は、本発明の実施の形態に係るコンロキャビネットにガスコンロを載置した状態を模式的に示す側面断面図である。
図２は、図１のコンロキャビネットの詳細な構造を示す分解斜視図である。
図１は、コンロキャビネット１を水切り板３が備えられている台所の壁面５に接するように設置した状態を示す。コンロキャビネット１は、上部のガスコンロ設置部７と、下部のキャビネット部９を有する。コンロ設置部７の背面にはバックガード（防熱板）１１と、バックガード１１を上下にスライドするスライド機構１３が設けられている（詳細後述）。バックガード１１は、スライド機構１３により水切り板３に係止されるまで上方にスライドできる。なお、キャビネット部９は、食器洗浄器設置部やオーブン設置部であってもよい。
【００１４】
コンロ設置部７にはビルトインコンロ１５が収容される。ビルトインコンロ１５内にはガス供給管に接続したバーナ１７が配置されている。コンロ１５は上面に２つ又は３つのバーナヘッド１９が設けられ、各バーナヘッド１９の周囲には五徳２１が設置されている。さらに、コンロ３内にはグリル２３が設けられている。コンロ上面の後方には排気口２４が形成されている。コンロ前面には、点火スイッチやグリル開閉扉２５が設けられている。また、コンロ上面には、外方向に延びる耳２７が設けられている。
【００１５】
コンロ設置部７は、図２に示すように上面、前面及び背面に開口３１が形成された中空の箱状であり、背面には段３３が形成されている。段３３の奥行きはバックガード１１（スライド機構含む）の厚さとほぼ等しい。コンロ１５をコンロ設置部７に載置する際は、コンロ１５の耳２７を持って同部７の上部の開口３１Ｔから入れ、耳２７を開口３１Ｔの外縁に引っ掛けてコンロキャビネット１に載置する。これにより、コンロ上面のバーナヘッド１９や五徳２１は、コンロ設置部９の上面開口３１Ｔから露出し、スイッチやグリル開閉扉２５は前面開口３１Ｆから露出する。
【００１６】
バックガードスライド機構１３は、図２に示すように、バックガード１１を保持するサポート部材３５と、同サポート部材３５を上下にスライドするよう案内するスライド案内部材３７と、サポート部材３５をスライド案内部材３７に対して位置決めする２個の蝶ネジ３９を有する。バックガード１１は、一例で鋼板製の耐熱性を有する板で、高さ１０〜２０ｃｍ、幅６０ｃｍ、厚さ１ｍｍ程度である。サポート部材３５は、例えば鋼板を階段状に折ったものであり、水平な載置部３５ａ、載置部３５ａの奥側の辺から上方に延びる背面部３５ｂ、載置部３５ａの手前側の辺から下方に延びる取付部３５ｃとからなる。なお、載置部３５ａの奥行きは、バックガード１１の厚さとほぼ等しい。取付部３５ｃにはネジ孔４１が２ヶ所に開けられている。
【００１７】
スライド案内部材３７は、例えば鋼板を横断面がコの字になるよう折り曲げた左右２つの部材４３、４５からなる。各部材４３、４５は、側壁と、この側壁から対向するように延びる前壁（コンロ側）と後壁（壁側）からなる。左右スライド案内部材４３、４５の高さはコンロキャビネット１のコンロ設置部７の高さとほぼ等しい。また、側壁の幅はコンロ設置部７の背面に形成された段部３３の幅とほぼ等しい。各部材４３、４５の前壁４３ａ、４５ａには上下に延びるスリット孔４７が形成されている。
【００１８】
スライド機構１３について詳細に説明する。
図３は、図１のコンロキャビネットのスライド機構を示す図であり、図３（Ａ）は壁面側から見た正面図、図３（Ｂ）は一部側面断面図である。
図４は、図１のコンロキャビネットのスライド機構を取り付ける方法の一例を示す図である。
このスライド機構１３をコンロキャビネット１に取り付ける際は、図２に示すように、まず、左右スライド案内部材４３、４５を、向かい合うようにコンロ設置部７の段３３の両端部に置き、コンロ設置部７の背面にビス等で固定する。このとき、図４に示すように、左右スライド案内部材（図では左スライド案内部材４３のみを示す）の後壁４３ｂに長孔４９を開け、ここからドライバの先を入れてビス止めしてもよい。
【００１９】
次に、サポート部材３５を、取付部３５ｃが手前（コンロ側）、背面部３５ｂが奥（壁側）となるように位置させて、左右スライド案内部材４３、４５で囲まれた空間内に置き、各ネジ孔４１が、左右スライド案内部材４３、４５の前壁４３ａ、４５ａの各スリット孔４７に一致するように位置決めする。そして、蝶ネジ３９を、左右スライド案内部材４３、４５のスリット孔４７からサポート部材３５の取付部３５ｃのネジ孔４１に通して仮止めする。なお、この作業は、コンロキャビネット１のコンロ設置部７の上面の開口３１Ｔから手を入れて簡単に行うことができる。
【００２０】
最後に、バックガード１１を左右スライド案内部材４３、４５で囲まれた空間に上方から挿入し、サポート部材３５の載置部３５ａ上に載置する。このときバックガード１１はサポート部材３５の背面部３５ｂと、スライド案内部材４３、４５の各壁でほぼ直立状に支えられる。なお、この状態でバックガード１１の上端面がコンロキャビネット１の上面とほぼ同じ面にあることが好ましい。
【００２１】
そして、コンロキャビネット１を、図１に示すように、背面がキッチンの壁５に接するように設置する。このとき、バックガード１１はコンロキャビネット１の上面とほぼ同じ高さであるため、低い位置に水切り板がある場合にも、バックガード１１が水切り板に当ることがない。設置後、蝶ネジ３９を緩めてスライド案内部材４３、４５のスリット孔４７に沿って上方に動かし、バックガード１１をサポート部材３５とともに、バックガード１１の上端が水切り板３の根元下面に当るまで上方にスライドさせる。バックガード１１の高さが決まると、蝶ネジ３９を締めてサポート部材３５を左右スライド案内部材４３、４５に固定して、バックガード１１を位置決めする。なお、これらの作業もコンロ設置部７の上面の開口３１Ｔから手を入れて行う。その後、従来通りビルトインコンロ１５をコンロ設置部７に設置する。
【００２２】
図５は、本発明の他の実施の形態に係るコンロキャビネットを示す図であり、図５（Ａ）は一部分解斜視図、図５（Ｂ）はバックガードの側面図である。
この例のコンロキャビネット１は、図１のコンロキャビネットと同様で、上部のコンロ設置部７とキャビネット部９を有し、コンロ設置部７の背面に段３３が設けられている。このコンロキャビネット１は水切り板のないキッチン用のもので、バックガード６１の位置調節機構が図１のコンロキャビネットと異なり、スライド機構が設けられていない。
【００２３】
バックガード６１は、一例で鋼板製のガード部６３と、このガード部６３から下方に延びる２本の脚部６５を有する。一例でガード部６３の高さは１０〜２０ｃｍである。ガード部６３に貼られた防熱板の手前側下端６３ａは、やや手前方向に湾曲している。脚部６５の長さはコンロ設置部７とほぼ同じである。脚部６５と、ガード部６３の下辺にはこの例では６個のネジ孔６９が開けられている。
【００２４】
このバックガード６３をコンロキャビネット１に取り付ける際は、まず、コンロ設置部７の背面の段３３に脚部６５を置き、図５（Ｂ）に示すように、コンロキャビネット５１の後方からネジ７１でバックガード６１をコンロ設置部７の背面に固定する。このとき、ガード部６３に貼られた防熱板の手前側下端６３ａは、コンロ設置部７の上面に被さる。
【００２５】
この例では、キッチンに水切り板がないため、バックガードのスライド機構は不要であり、コンロキャビネットに所定の高さのバックガード６３を予め取り付けておくことができる。
【００２６】
【発明の効果】
以上の説明から明らかなように、本発明によれば、防熱板（バックガード）が位置調節機構を有することにより、バックガードの位置（高さ）を調節でき、水切り板がどのような形状・高さであっても、水切り板を取り外すことなく、水切り板下方の壁面をバックガードで覆うことができる。
【図面の簡単な説明】
【図１】本発明の実施の形態に係るコンロキャビネットにガスコンロを載置した状態を模式的に示す側面断面図である。
【図２】図１のコンロキャビネットの詳細な構造を示す分解斜視図である。
【図３】図１のコンロキャビネットのスライド機構を示す図であり、図３（Ａ）は壁面側から見た正面図、図３（Ｂ）は一部側面断面図である。
【図４】図１のコンロキャビネットのスライド機構を取り付ける方法の一例を示す図である。
【図５】本発明の他の実施の形態に係るコンロキャビネットを示す図であり、図５（Ａ）は一部分解斜視図、図５（Ｂ）はバックガードの側面図である。
【図６】従来のシステムキッチン化されたコンロキャビネットの構造を模式的に説明する図であり、図６（Ａ）は全体の斜視図、図６（Ｂ）は側面図である。
【符号の説明】
１  コンロキャビネット            ３  水切り板
５  壁面                          ７  ガスコンロ設置部
９  キャビネット部              １１  バックガード（防熱板）
１３  スライド機構                １５  ビルトインコンロ
１７  バーナ                      １９  バーナヘッド
２１  五徳                        ２３  グリル
２４  排気口                      ２５  グリル開閉扉
２７  耳                          ３１  開口
３３  段                          ３５  サポート部材
３７  スライド案内部材            ３９  蝶ネジ
４１  ネジ孔                      ４３、４５  左右スライド案内部材
４７  スリット孔                  ４９  長孔
６１  バックガード                ６３  ガード部
６５  脚部                        ６９  ネジ孔
７１  ネジ
【図１】
0003773438.tif 000002
【図２】
0003773438.tif 000003
【図３】
0003773438.tif 000004
【図４】
0003773438.tif 000005
【図５】
0003773438.tif 000006
【図６】
0003773438.tif 000007